(57)【要約】【課題】良好な状態で放送信号を受信することができるアンテナ機能を備えたイヤホン変換アダプタを提供する。【解決手段】一方の端部に音声映像受信機器を接続する機器接続用コネクタ１０と、他方の端部にイヤホンを接続するイヤホン接続用コネクタ１１とを備えるイヤホン変換アダプタ１は、音声映像受信機器の筐体がアンテナ１２の電界指向領域に含まれないようにイヤホン変換アダプタ１の内部にアンテナ１２が設けられてあると共に、アンテナ１２が有する共振周波数が、共振周波数を制御する制御信号に基づいて放送周波数に変更可能である。【選択図】図１
2008278230.tif 000002
【特許請求の範囲】
【請求項１】
音声映像受信機器に音声映像信号を伝達する第１伝達部と、イヤホンに音声信号を伝達する第２伝達部とを備えるイヤホン変換アダプタであって、
前記イヤホン変換アダプタの内部にアンテナが設けられると共に、
少なくとも前記アンテナと、前記アンテナ及び前記第１伝達部を接続する電波伝送用ケーブルとを含んで見かけ上のアンテナの電気長が形成され、
前記アンテナが有する共振周波数が、前記共振周波数を制御する制御信号に基づいて放送周波数に変更可能であるイヤホン変換アダプタ。
【請求項２】
前記第１伝達部及び前記第２伝達部の少なくとも何れか一方が無線通信可能な無線通信手段である請求項１に記載のイヤホン変換アダプタ。
【請求項３】
前記第１伝達部が、前記音声映像受信機器を接続する機器接続用コネクタである請求項１又は２に記載のイヤホン変換アダプタ。
【請求項４】
前記第２伝達部が、前記イヤホンを接続するイヤホン接続用コネクタである請求項１から３のいずれか一項に記載のイヤホン変換アダプタ。
【請求項５】
前記アンテナと前記電波伝送用ケーブルとを接続する接続点が、給電点であることを特徴とする請求項１から４のいずれか一項に記載のイヤホン変換アダプタ。
【請求項６】
前記アンテナが設けられる筐体から前記電波伝送用ケーブルが延出するように配設されてある請求項１から５のいずれか一項に記載のイヤホン変換アダプタ。
【請求項７】
前記電波伝送用ケーブルと、前記第１伝達部及び前記第２伝達部を接続する信号伝送用ケーブルとが平行線で構成されてある請求項１から６のいずれか一項に記載のイヤホン変換アダプタ。
【請求項８】
前記制御信号が、前記音声映像受信機器から入力されると共に、前記制御信号が制御線として併用される前記電波伝送用ケーブルに重畳されて前記アンテナに入力される請求項７に記載のイヤホン変換アダプタ。
【請求項９】
前記制御信号が、前記音声映像受信機器から入力されると共に、前記制御信号が前記信号伝送用ケーブルを構成する制御線により前記アンテナに入力される請求項７に記載のイヤホン変換アダプタ。
【請求項１０】
前記制御線以外の少なくとも１本の線に対して、インピーダンス調整部が配設される請求項８又は９に記載のイヤホン変換アダプタ。
【請求項１１】
前記電波伝送用ケーブルと前記第１伝達部が有するピンとを接続する際に、前記電波伝送用ケーブルが、前記電波伝送用ケーブルと前記ピンとの間の配線長が最短となる位置にあるピンに接続されることを特徴とする請求項７から１０のいずれか一項に記載のイヤホン変換アダプタ。
【請求項１２】
前記放送周波数が、地上デジタルテレビ放送の放送周波数である請求項１から１１のいずれか一項に記載のイヤホン変換アダプタ。
【請求項１３】
前記放送周波数が、ＦＭラジオ放送及び地上デジタルラジオ放送の少なくとも何れか一方の放送周波数を含む請求項１から１２のいずれか一項に記載のイヤホン変換アダプタ。
【発明の詳細な説明】
【技術分野】
【０００１】
本発明は、イヤホンと音声映像受信機器とを接続するイヤホン変換アダプタに関する。
【背景技術】
【０００２】
地上デジタルテレビ放送の開始に伴い、テレビ放送受信機に限らず、携帯電話等の携帯端末でも地上デジタルテレビ放送が視聴できる機能を備えたものが普及している。このような地上デジタルテレビ放送の放送周波数は、ＦＭラジオ放送やＡＭラジオ放送等の放送周波数と比べて高いＵＨＦ（Ultra High Frequency）帯が使用されている。一方、ＦＭ（Frequency Modulation）ラジオ放送や地上デジタルラジオ放送ではＶＨＦ（Very High Frequency）帯が使用され、ＡＭ（Amplitude Modulation）ラジオ放送では更に低い周波数帯が使用されている。これらの放送の受信には、主としてロッドアンテナやイヤホンケーブルと共用したケーブルアンテナ等が使用される。このようなロッドアンテナやケーブルアンテナは周波数の共振点（共振周波数）が１点であり、その感度特性は共振周波数をピークとして共振周波数から離れるにしたがって低下するブロードな特性となっている。したがって、ＦＭラジオ放送やＡＭラジオ放送の受信に使用されるロッドアンテナやケーブルアンテナでは、地上デジタルテレビ放送で使用される周波数帯（４７０ＭＨｚ〜７７０ＭＨｚ）の放送信号を良好な状態で受信することは困難である。
【０００３】
このような問題を解決するための一つとして、受信可能な周波数帯が異なる複数のアンテナ装置を備えた携帯端末が知られている（例えば、特許文献１）。この特許文献１に係る携帯端末には、携帯端末から伸張可能なホイップアンテナと携帯端末の筐体に収納されたコイル状アンテナとを備えている。このように複数のアンテナを備えることで、ＵＨＦ帯以上ではホイップアンテナを使用し、ＶＨＦ帯ではコイル状アンテナを使用することにより、広い周波数帯域での送受信を可能としている。しかしながら、この特許文献１に係る技術では、単に異なる共振周波数を有するアンテナを複数備えただけであるため、共振周波数に近い周波数であれば良好な状態で受信可能であるが、共振周波数から離れた周波数であれば良好な状態で受信することができないといった問題が残る。更には、複数のアンテナを備えることから、特に携帯端末自体に複数のアンテナが収納されるスペースを確保する必要がある。
【０００４】
【特許文献１】特開２００５−１７６３０２号公報（段落番号００１４、００１５、００５９〜００６１等）
【発明の開示】
【発明が解決しようとする課題】
【０００５】
本発明の目的は、上記問題に鑑み良好な状態で放送信号を受信することができるアンテナ機能を備えたイヤホン変換アダプタを提供することである。
【課題を解決するための手段】
【０００６】
上記目的を達成するための本発明に係るイヤホン変換アダプタの特徴は、音声映像受信機器に音声映像信号を伝達する第１伝達部と、イヤホンに音声信号を伝達する第２伝達部とを備え、前記イヤホン変換アダプタの内部にアンテナが設けられると共に、少なくとも前記アンテナと、前記アンテナ及び前記第１伝達部を接続する電波伝送用ケーブルとを含んで見かけ上のアンテナの電気長が形成され、前記アンテナが有する共振周波数が、前記共振周波数を制御する制御信号に基づいて放送周波数に変更可能な点にある。
【０００７】
このようにイヤホン変換アダプタに放送信号を受信するためのアンテナを備える構成にすれば、第１伝達部に接続される音声映像受信機器がアンテナを備えなくても良くなる。したがって、アンテナを収納するスペースが不要となるため、音声映像受信機器をコンパクトに形成することができる。また、放送局毎に異なる放送周波数に対して、制御信号に基づいてアンテナの共振周波数を変更することができるため、良好な状態で所望の放送信号を受信することが可能となる。また、第１伝達部及び第２伝達部の少なくともいずれか一方が無線通信機能を有するように構成されると、イヤホン変換アダプタと接続するための配線が不要となるため簡便に構成することが可能となる。更には、少なくともアンテナと、アンテナ及び第１伝達部を接続する電波伝送用ケーブルとを含んで見かけ上のアンテナの電気長が形成されるため、アンテナの受信感度を向上させることができる。
【０００８】
また、前記イヤホン変換アダプタは、前記第１伝達部及び前記第２伝達部の少なくとも何れか一方が無線通信可能な無線通信手段であると好適である。このような構成とすれば、第１伝達部が無線通信手段を備えていれば音声映像受信機器と無線通信が可能となるし、第２伝達部が無線通信手段を備えていればイヤホンと無線通信が可能となるため、配線の煩わしさを取り除くことができる。
【０００９】
また、前記イヤホン変換アダプタは、前記第１伝達部が、前記音声映像受信機器を接続する機器接続用コネクタであっても良いし、前記第２伝達部が、前記イヤホンを接続するイヤホン接続用コネクタであっても良い。このような構成とすれば、各コネクタを介して音声映像受信機器とイヤホン変換アダプタとイヤホンとを接続することが可能となる。
【００１０】
また、前記イヤホン変換アダプタは、前記アンテナと前記電波伝送用ケーブルとを接続する接続点が、給電点であると好適である。このような構成とすれば、イヤホン変換アダプタと音声映像受信機器とが無線通信を行う場合には、イヤホン変換アダプタにおいて見かけ上のアンテナの電気長を形成することが可能となる。一方、有線通信の場合には、イヤホン変換アダプタと音声映像受信機器とにおいて見かけ上のアンテナの電気長を形成することが可能となる。
【００１１】
また、前記イヤホン変換アダプタは、前記アンテナが設けられる筐体から前記電波伝送用ケーブルが延出するように配設されてあると好適である。このような構成とすれば、見かけ上のアンテナの電気長を大きく取ることができると共に、音声映像受信機器から発生するノイズがアンテナへ伝達されることを低減することができる。したがって、良好な状態で放送信号を受信することが可能となる。
【００１２】
また、前記イヤホン変換アダプタは、前記電波伝送用ケーブルと、前記第１伝達部及び前記第２伝達部を接続する信号伝送用ケーブルとが平行線で構成されてあると好適である。このような構成とすれば、電波伝送用ケーブルと信号伝送用ケーブルとで伝達される信号が相互干渉することを防止できると共に、平行線を使用することで夫々のケーブルを纏めやすくできるためコンパクトな配線が可能となる。
【００１３】
また、前記イヤホン変換アダプタは、前記制御信号が、前記音声映像受信機器から入力されると共に、前記制御信号が制御線として併用される前記電波伝送用ケーブルに重畳されて前記アンテナに入力されると好適である。このような構成とすれば、制御信号をアンテナに伝達するために他の信号線を設けなくて良いため、配線をコンパクトにすることができる。また、共振周波数が変更される場合のみ制御信号を変更するようにすれば、制御信号が放送信号に対して影響を与えることがないため好適である。
【００１４】
また、前記イヤホン変換アダプタは、前記制御信号が、前記音声映像受信機器から入力されると共に、前記制御信号が前記信号伝送用ケーブルを構成する制御線により前記アンテナに入力されると好適である。このような構成であっても、アンテナが受信した放送信号と制御信号とを分離して伝達することができるため、相互干渉を低減させることができる。
【００１５】
また、前記イヤホン変換アダプタは、前記制御線以外の少なくとも１本の線に対して、インピーダンス調整部が配設されると好適である。このような構成とすれば、インピーダンス調整部によりハイインピーダンス状態とすることができるため、各部を電気的に分離することが可能となる。したがって、相互干渉を防ぐと共に、特にアンテナに対する外部からのノイズの混入を防止することができる。
【００１６】
また、前記イヤホン変換アダプタは、前記電波伝送用ケーブルと前記第１伝達部が有するピンとを接続する際に、前記電波伝送用ケーブルが、前記電波伝送用ケーブルと前記ピンとの間の配線長が最短となる位置にあるピンに接続されると好適である。このような構成とすれば、音声映像受信機器とアンテナとの配線長を最短となるように接続することができるため、信号の劣化が少ない状態で伝達することが可能になると共に、インピーダンスを小さくすることができるため、インピーダンス整合が容易となる。
【００１７】
また、前記イヤホン変換アダプタは、前記放送周波数が、地上デジタルテレビ放送の放送周波数であると良いし、前記放送周波数が、ＦＭラジオ放送及び地上デジタルラジオ放送の少なくとも何れか一方の放送周波数を含むものであっても良い。このような構成であれば、ＵＨＦ帯域を使用する地上デジタルテレビ放送の放送周波数やＶＨＦ帯を使用するＦＭラジオ放送や地上デジタルラジオ放送等の放送周波数に合わせてアンテナの共振周波数を変更することが可能であるため、音声映像受信機器に対してアンテナを１つ設けるだけで良くなり、ユーザが所望する放送を良好な状態で受信することが可能となる。
【発明を実施するための最良の形態】
【００１８】
以下、本発明に係るイヤホン変換アダプタに関して図を用いて説明する。図１は、本イヤホン変換アダプタ１の一例を示したものである。イヤホン変換アダプタ１は、第１伝達部として携帯テレビ２が備えるイヤホン用コネクタ２ａと接続するための機器接続用コネクタ１０と、第２伝達部としてイヤホン３にケーブル３ｂを介して接続される接続用プラグ３ａと接続するためのイヤホン接続用コネクタ１１とを備える。また、本イヤホン変換アダプタ１には、地上デジタルテレビ放送の放送信号を受信するアンテナ１２が備えられる。このアンテナ１２は電波伝送用ケーブル１３によって機器接続用コネクタ１０に接続され、アンテナ１２で受信された放送信号はこの電波伝送用ケーブル１３と機器接続用コネクタ１０とを介して携帯テレビ２に伝達される。アンテナ１２は、携帯テレビ２の筐体がアンテナ１２の電界指向領域に含まれないように所定の間隔を有するように配設されると感度良く放送信号を受信することが可能となる。更には、図１のようにアンテナ１２が設けられる筐体１ａから電波伝送用ケーブル１３が延出するように配設されると好適である。上記構成とすれば、アンテナ１２と電波伝送用ケーブル１３と携帯テレビ２のグランドとで見かけ上のアンテナの電気長を大きく取ることができる。したがって、良好な状態で放送信号を受信することが可能となる。
【００１９】
一方、イヤホン接続用コネクタ１１は、携帯テレビ２から出力される音声信号をイヤホン３に伝達するために信号伝送用ケーブル１４によって機器接続用コネクタ１０と接続される。この信号伝送用ケーブル１４には、左イヤホンに出力される音声信号線と右イヤホンに出力される音声信号線とこれらの音声信号を外部ノイズから保護するために使用するシールド線等から形成される。したがって、信号伝送用ケーブル１４は、複数の線材から形成される。そして、電波伝送用ケーブル１３及び信号伝送用ケーブル１４は、携帯テレビ２が備えるイヤホン用コネクタ２ａの配線仕様に基づいて、機器接続用コネクタ１０内に備えるケーブル接続用ピン（内部接続用ピン）に接続される。
【００２０】
ここで、本イヤホン変換アダプタ１が備えるアンテナ１２は、地上デジタルテレビ放送の受信に適したアンテナである。地上デジタルテレビ放送の放送信号は、４７０ＭＨｚから７７０ＭＨｚに割り当てられ、各放送局により放送周波数が決まっている。一方、アンテナはその性質上、共振周波数が一点しかないため、その放送周波数とアンテナの共振周波数が一致、或いは近くなければ良好な状態で受信することができない。しかしながら、本イヤホン変換アダプタ１が備えるアンテナ１２は、所望の地上デジタルテレビ放送の放送周波数にアンテナの共振周波数を一致させることにより良好な状態で放送信号を受信することが可能である。共振周波数の変更には、アンテナ１２に対して共振周波数を変更させる制御信号の入力が必要であるが、この制御信号は電波伝送用ケーブル１３を介して入力する方法と信号伝送用ケーブル１４を介して入力する方法とがある（詳細は後述）。この制御信号を入力する方法の切り替えは、信号切替部１５により行うことができる。
【００２１】
次に、電波伝送用ケーブル１３及び信号伝送用ケーブル１４について図を使用して説明する。図２は電波伝送用ケーブル１３及び信号伝送用ケーブル１４の構成を示した図である。電波伝送用ケーブル１３はアンテナ１２と機器接続用コネクタ１０とを接続し、アンテナ１２で受信された放送信号を携帯テレビ２に伝達するためのものである。この伝達は電波伝送用ケーブル１３の略中心部に形成される導体部１３ａにより行われる。また、伝達に際し放送信号が外部ノイズ等を原因として放送信号が劣化されることを防ぐために、保護用のシールド層１３ｃがその周囲に形成される。なお、このシールド層１３ｃはグランド電位であるため、導体部１３ａとシールド層１３ｃとの間に短絡防止用の絶縁層１３ｂが形成される。
【００２２】
信号伝送用ケーブル１４も電波伝送用ケーブル１３と同様に、導体部１４ａと絶縁層１４ｂとシールド層１４ｃとから形成される。ここで、電波伝送用ケーブル１３は放送信号を伝達するための単線であるが、信号伝送用ケーブル１４は、左イヤホンに出力される音声信号線や右イヤホンに出力される音声信号線やこれらの音声信号を外部ノイズから保護するために使用するシールド線等の複数の線からなる。更には、イヤホン３と接続用プラグ３ａとの間に、例えば携帯テレビ２を操作するためのリモコン（図示しない）が配設される場合にはリモコンから出力される操作信号を伝達する線や、接続用プラグ３ａがイヤホン接続用コネクタ１１に接続されているか否かの判定機能を備えている場合には検出信号等を伝達する線が含まれるように構成することも可能である。このように複数の線からなる信号伝送用ケーブル１４と単線からなる電波伝送用ケーブル１３とから平行線１６が形成される。
【００２３】
本イヤホン変換アダプタ１は、上述の通り、アンテナ１２の共振周波数を制御信号に基づいて放送周波数に適した周波数に変更することにより放送信号を感度良く受信することが可能である。この制御信号の入力は、電波伝送用ケーブル１３を介して入力する方法と信号伝送用ケーブル１４を介して入力する方法とがあるが、入力方法の切り替えはイヤホン変換アダプタ１が備える信号切替部１５により行うことができる。図３は、信号切替部１５の接続回路図を示すものである。まず、制御信号が電波伝送用ケーブル１３を介して入力される場合について説明する。アンテナ１２は、受信した放送信号を携帯テレビ２に出力し、給電点となるＲＦ端子１２ａと、制御信号を入力する制御端子１２ｂと、基準電位確定用のＶＣＣ端子１２ｃと、を備える。ＶＣＣ端子１２ｃはＧＮＤに接続されるが、ＧＮＤから見た場合に受信用アンテナ１２がハイインピーダンス状態となるようにＶＣＣ端子１２ｃとＧＮＤ間に数百キロオームオーダーの抵抗を介して接続することも可能である。
【００２４】
コンデンサ１００は、アンテナ１２や電波伝送用ケーブル１３に対して制御信号からの影響を軽減、若しくは除去することを目的として、電波伝送用ケーブル１３とＲＦ端子１２ａとの間に直列に挿入される。また、フェライトビーズ１０１は、その減衰特性によりＲＦ端子１２ａから出力される放送信号と電波伝送用ケーブル１３を介して入力される制御信号とを分離するために挿入される。したがって、Ａ点では、放送信号と制御信号が介在しているにも関わらず、Ｂ点では制御信号のみを抽出することが可能となる。また、抵抗１０２は、アンテナ１２に対して過電流が流れないようにするための電流制限抵抗であり、コンデンサ１０３は、制御信号に重畳されるノイズ等を低減し平滑化するためのバイパスコンデンサ（所謂、パスコン）である。したがって、電波伝送用ケーブル１３を介して入力される制御信号をアンテナ１２に入力することが可能となる。なお、電波伝送用ケーブル１３から制御信号をアンテナ１２に入力する場合には、制御信号は信号伝送用ケーブル１４に出力されないためフェライトビーズ１０４は未実装状態としても良い。
【００２５】
信号伝送用ケーブル１４を介してアンテナ１２に制御信号を入力する場合には、電波伝送用ケーブル１３はＲＦ端子１２ａからの放送信号を携帯テレビ２に伝達することのみに使用されるため、フェライトビーズ１０１は未実装状態とすることができる。一方、信号伝送用ケーブル１４から制御信号が入力されることからフェライトビーズ１０４を実装する必要がある。ここで、信号伝送用ケーブル１４は上述の通り、左右の音声信号やリモコンからの操作信号や接続用プラグ３ａとイヤホン接続用コネクタ１１との接続状態を確認するための検出信号等を伝達するために複数の線から構成されている。これらの信号は、時々刻々と変化する動的な信号であるため制御信号に対してノイズが重畳される原因となる可能性がある。そのため、このノイズの影響を防ぐことを目的として、フェライトビーズ１０４が挿入される。なお、制御信号の伝達は、信号伝送用ケーブル１４を形成する複数の線の中の一つである制御線２０により行うことが可能である。また、コンデンサ１００と抵抗１０２とコンデンサ１０３とは、電波伝送用ケーブル１３を介して制御信号を入力する場合と同様である。
【００２６】
次に、電波伝送用ケーブル１３と機器接続用コネクタ１０との接続に関して説明する。図４は、電波伝送用ケーブル１３を機器接続用コネクタ１０内に備えるケーブル接続用ピン（内部接続用ピン）に接続する際の形態について示した図である。図４では、ケーブル接続用ピンが１ピンから１０ピンまでの合計１０ピンを有する例として示している。ケーブル接続用ピンの配置は、図４に示されるとおり一列に並んで配列されるものではなく千鳥状で配列される。アンテナ１２で受信された放送信号と他の信号との相互干渉の低減と、配線を短くすることによるインピーダンスの低減と、を目的として電波伝送用ケーブル１３の導体部１３ａとケーブル接続用ピンとの接続は、電波伝送用ケーブル１３をその配線長が最短となるような位置にあるピンに接続するように行うと好適である。例えば、図４に示すように導体部１３ａは１０ピン１０ａに接続すると好適である。また、音声信号やシールド線等の他の線は、図示は省略するが、残りのピン（１ピンから９ピン）を使用して接続される。
【００２７】
このように形成されたイヤホン変換アダプタ１は、図５のような周波数特性が得られる。図５は共振周波数を変更した際のアンテナの受信感度を示したものである。上述の制御信号により、例えばＡ放送局（放送周波数：４７０ＭＨｚ）の放送信号を受信している状態からＢ放送局（放送周波数：５００ＭＨｚ）の放送信号を受信したい場合には、制御信号に基づいてＢ放送局の放送周波数に適した共振周波数に変更する。したがって、所望の放送信号を良好な状態で受信することが可能となる。もちろん、Ｂ放送局の放送周波数以外の共振周波数に変更することも当然に可能である。なお、図５によれば共振周波数毎にピーク感度に差が見られるが、これは本イヤホン変換アダプタ１に配設されたアンテナの特性によるものであり、ロッドアンテナやケーブルアンテナに見られるブロードな特性と比べて支障の無いレベルであることは当然である。
【００２８】
上述のように、本発明によれば、イヤホン変換アダプタ１にアンテナ１２を内蔵することにより、携帯テレビ２にアンテナを設ける必要がないため携帯テレビ２をコンパクトに形成することができると共に、地上デジタルテレビ等の放送信号を良好な状態で受信できるイヤホン変換アダプタ１を構成することが可能となる。
【００２９】
〔その他の実施携帯〕
上記実施形態では、機器接続用コネクタ１０に接続される音声映像受信機器として携帯テレビ２を例として説明したが、これに限らない。例えば、携帯電話やラジオ等であっても良く、更には携帯するものではなくても、本発明に係るイヤホン変換アダプタ１を使用することは当然に可能である。
【００３０】
上記実施形態では、イヤホン接続用コネクタ１１にイヤホン３が接続されるとして説明したが、これに限らない。例えば、ヘッドフォンであっても当然に可能である。
【００３１】
上記実施形態では、アンテナ１２は地上デジタルテレビ放送の放送信号の受信に適しているとして説明したが、これに限らない。例えば、アンテナ１２の共振周波数を制御することによりＦＭラジオ放送や地上デジタルラジオ放送の放送信号を受信することも当然に可能である。このように地上デジタルテレビ放送やＦＭラジオ放送や地上デジタルラジオ放送の放送信号を一つのアンテナで受信することにより、複数のアンテナを備える必要がなくなるため、音声映像受信機器をコンパクトに形成することが可能となる。更には、ＡＭラジオ放送の放送信号を受信することも当然に可能である。
【００３２】
上記実施形態では、アンテナ１２は受信に関してのみ説明したが、これに限らない。例えば、本アンテナ１２を送信用に使用することも可能である。送信用に使用する際には、マイク等を付加することにより携帯電話のハンズフリー機能のように使用することも可能であるし、スイッチ等を付加することによりリモコン機能として使用することも可能である。
【００３３】
上記実施形態では、地上波デジタルテレビ放送やＦＭラジオ放送や地上波デジタルラジオ放送等のチューナーに関しては、特に説明しなかったが外部に接続される音声映像受信機器に備えられていても良いし、イヤホン変換アダプタ２に備えられていても良い。イヤホン変換アダプタ２に備える場合には、音声映像受信機器にチューナーを備える必要がなくなると共に、イヤホン変換アダプタ２に各種の無線通信機能を備えることにより機器に接続することなく受信した放送を視聴することが可能となる。また、無線通信による場合には、アンテナ１２と電波伝送用ケーブル１３とイヤホン変換アダプタ１のグランドとで見かけ上のアンテナの電気長が取れることも当然である。したがって、有線接続と同様、良好な状態で放送信号を受信することが可能となる。
【００３４】
上記実施形態では、信号切替部１５が有するフェライトビーズ１０１及びフェライトビーズ１０４は、フェライトビーズとして説明したがこれに限らない。所望の減衰特性を備えるインダクタやフィルタや３端子コンデンサでも当然に可能である。
【００３５】
上記実施形態では、信号切替器１５にフェライトビーズが配設されるとして説明したが、これに限らない。制御線以外の線に対して、インピーダンス調整部としてフェライトビーズを配設することも可能である。このような構成とすれば、フェライトビーズでハイインピーダンス状態にすることができるため、各部を電気的に分離することが可能となる。したがって、相互干渉を防ぐと共に、特にアンテナに対する外部からのノイズ混入を防止することができる。
【図面の簡単な説明】
【００３６】
【図１】イヤホン変換アダプタを模式的に示した図
【図２】電波伝送用ケーブル及び信号伝送用ケーブルの構成を示した図
【図３】信号切替部の接続回路を示す図
【図４】電波伝送用ケーブルと機器接続用コネクタの内部接続ピンとの接続形態を示す図
【図５】イヤホン変換アダプタの受信用アンテナの周波数特性を示す図
【符号の説明】
【００３７】
１：イヤホン変換アダプタ
１ａ：筐体
２：携帯テレビ
２ａ：イヤホン用コネクタ
３：イヤホン
３ａ：接続用プラグ
３ｂ：ケーブル
１０：機器接続用コネクタ
１１：イヤホン接続用コネクタ
１２：アンテナ
１３：電波伝送用ケーブル
１４：信号伝送用ケーブル
１５：信号切替部
１６：平行線
【図１】
2008278230.tif 000003
【図２】
2008278230.tif 000004
【図３】
2008278230.tif 000005
【図４】
2008278230.tif 000006
【図５】
2008278230.tif 000007